(57)【要約】【課題】大きな音を発生させることなく演奏の練習を行うことのできる太鼓を提供する。【解決手段】本発明に係る筒状の胴部１１の両端にそれぞれ打面部１２，１３を備えた太鼓１０であって、該打面部１２，１３のうちの少なくともいずれか一方の打面部１２は、皮１６と、皮１６の内面に設けられる消音部材１７と、消音部材１７の内面に設けられる板状部材１９とから成る三層構造を有していることを特徴とする。そして、前記打面部１２，１３のうちの他方の打面部１３は皮２０のみにより構成されているのが好ましい。【選択図】図１
2010078661.tif 000002
【特許請求の範囲】
【請求項１】
筒状の胴部の両端にそれぞれ打面部を備えた太鼓であって、
該打面部のうちの少なくともいずれか一方の打面部は、皮と、該皮の内面に設けられる消音部材と、該消音部材の内面に設けられる板状部材とから成る三層構造を有していることを特徴とする太鼓。
【請求項２】
前記打面部のうちの他方の打面部は皮のみにより構成されている請求項１に記載の太鼓。
【請求項３】
前記消音部材は発泡樹脂により構成され、前記板状部材はベニヤ板により構成されている請求項１又は２に記載の太鼓。
【発明の詳細な説明】
【技術分野】
【０００１】
本発明は、和太鼓、大太鼓、小太鼓等の太鼓に関し、特に、胴部の少なくとも一端に練習用の打面部を備えた太鼓に関する。
【背景技術】
【０００２】
一般に、打楽器の一つとして、和太鼓等の太鼓が知られている。
【０００３】
従来の太鼓１は、例えば、図２に示されているように、筒状の胴部２の両端に皮から成る打面部３を張設することによって構成されており、この打面部３をばちによって叩き、振動させることにより音が発生し、演奏が行われるようになっている。（例えば、特許文献１参照）。
【特許文献１】特開２００５−３００７４７号公報
【発明の開示】
【発明が解決しようとする課題】
【０００４】
しかしながら、上記した従来の太鼓では、演奏時に大きな音が発生するため、演奏の練習をする際には、他人に迷惑を掛けないように、人家から離れた所や遮音性の優れた部屋で行う必要があった。そのため、太鼓の演奏の練習場所を確保するのが難しいといった問題があった。
【０００５】
本発明は、上記した課題を解決すべくなされたものであり、大きな音を発生させることなく演奏の練習を行うことのできる太鼓を提供することを目的とするものである。
【課題を解決するための手段】
【０００６】
上記した目的を達成するため、本発明に係る筒状の胴部の両端にそれぞれ打面部を備えた太鼓であって、該打面部のうちの少なくともいずれか一方の打面部は、皮と、該皮の内面に設けられる消音部材と、該消音部材の内面に設けられる板状部材とから成る三層構造を有していることを特徴とする。
【０００７】
そして、前記打面部のうちの他方の打面部は皮のみにより構成されているのが好ましい。
【０００８】
また、前記消音部材は発泡樹脂により構成され、前記板状部材はベニヤ板により構成されているのが好ましい。
【発明の効果】
【０００９】
本発明によれば、大きな音を発生させることなく太鼓の演奏の練習を行うことができる。
【発明を実施するための最良の形態】
【００１０】
以下、図面を参照しつつ、本発明の実施の形態について説明する。ここで、図１は本発明の実施の形態に係る太鼓を示す断面図である。
【００１１】
図１に示されているように、本実施の形態に係る太鼓１０は、筒状の胴部１１と、胴部１１の両端にそれぞれ設けられる打面部１２，１３とを備えて構成されている。
【００１２】
胴部１１は、多数枚の側板を並設して形成される集成材から成る本体部分１４と、本体部分１４の両端部に固定される縁部分１５とから構成されている。本体部分１４は、例えば、唐松や桐等の軽い材質の木材製であることが好ましく、これにより、運搬時の負担を軽減することができる。また、縁部分１５は、縁打ちの練習にも耐える強度を備えるように、本体部分１４より硬い、例えば、樫や欅等の材質の木材製により構成されているか、或いは、その硬い材質の木材によって補強されているのが好ましい。
【００１３】
打面部１２，１３のうちの一方（図示では上方）の打面部１２は、胴部１１の開口端を閉塞するように胴部１１の端部に鋲等により固定される１枚の皮１６と、皮１６の内面に取り付けられる柔らかい消音部材１７と、消音部材１７の内面に取付金具１８等により固定される板状部材１９とから成る三層構造を有している。
【００１４】
皮１６には１枚の本牛皮が使用されるのが好ましい。
【００１５】
消音部材１７には厚みが３０〜４０ｍｍ程度のウレタンスポンジ等の発泡樹脂が使用されるのが好ましいが、この消音部材１７の材料としては、例えば、ポリエステル綿等の吸音性を有する部材であれば、この発泡樹脂以外の材料を使用することもできる。
【００１６】
板状部材１９には厚みが３〜４ｍｍ程度のベニヤ板が使用されるのが好ましいが、この板状部材１９の材質としては、例えば、プラスチック板等の音を反射し易い部材であれば、このベニヤ板以外の材料を使用することもできる。
【００１７】
また、打面部１２，１３のうちの他方（図示では下方）の打面部１３は１枚の皮２０のみから構成されており、この皮２０にも本牛皮が使用されるのが好ましい。
【００１８】
このような構成を備えた太鼓１０における演奏の練習は、前記一方の打面部１２を使用して行う。一方の打面部１２の皮１６をばちで叩くと、皮１６が振動するが、この振動は消音部材１７により吸収されるため、太鼓１０から発生する音の低減化を図ることができる。これにより、太鼓１０の音によって他人に迷惑を掛けるのを避けるために太鼓１０の演奏の練習を人家から離れた所や遮音性の優れた部屋で行ったりする必要がなくなり、太鼓１０の演奏の練習場所の確保が容易となる。
【００１９】
一方、本番の演奏時には、前記他方の打面部１３を使用して行う。他方の打面部１３の皮２０をばちで叩くと、皮２０が振動し、この振動により発生した音は胴部１１の内部を伝搬して反対側の板状部材１９に反射する。これにより、所望な音の反響を得ることができ、太鼓本来の音を太鼓１０から出力させることができる。
【００２０】
このように上記した実施の形態に係る太鼓１０によれば、演奏の練習時には一方の打面部１２を使用することにより大きな音の発生を抑制することができると共に、本番の演奏時には他方の打面部１３を使用することにより太鼓本来の音を太鼓１０から出力させることができる。
【００２１】
なお、上記した実施の形態では、一方の打面部１２のみを三層構造としているが、本発明は、両方の打面部をいずれも三層構造とし、練習専用の太鼓となるように構成することもできる。
【００２２】
また、上記した実施の形態における消音部材１７や板状部材１９の材質及び厚みは、単なる例示に過ぎず、それらの材質や厚みに限定する趣旨ではなく、各種変更が可能である。
【図面の簡単な説明】
【００２３】
【図１】本発明の実施の形態に係る太鼓を示す断面図である。
【図２】従来の太鼓であって、胴部の上端に打面部を張設していない状態を示す側面図である。
【符号の説明】
【００２４】
１０          太鼓
１１          胴部
１２          一方の打面部
１３          他方の打面部
１６          皮
１７          消音部材
１９          板状部材
２０          皮
【図１】
2010078661.tif 000003
【図２】
2010078661.tif 000004